(57)【要約】【課題】操作性の向上を図った入力装置を提供する。【解決手段】入力装置は、接触したことを検知する接触面が設けられた操作入力部１と、操作入力部からの信号に基づいて、電子機器２０を制御する制御部１０ａと、を備え、制御部は、第１の接触状態で、第１領域１１から該第１領域１１に並置された第２領域１２へ移動した際、第２領域１２にて第１の接触状態と異なる第２の接触を検知した場合に、第１領域１１から第２領域１２に選択対象を切り替える。【選択図】図３
2017224195.tif 000002
【特許請求の範囲】
【請求項１】
接触したことを検知する接触面が設けられた操作入力部と、
前記操作入力部からの信号に基づいて、電子機器を制御する制御部と、を備え、
前記制御部は、第１の接触状態で、第１領域から該第１領域に並置された第２領域へ移動した際、前記第２領域にて前記第１の接触状態と異なる第２の接触を検知した場合にのみ、前記第１領域から前記第２領域に選択対象を切り替えることを特徴とする入力装置。
【請求項２】
請求項１に記載の入力装置において、
前記第１領域が、第１方向に選択候補が並んで表示され、
前記第２領域が、前記第１領域の前記第１方向に並置されていることを特徴とする入力装置。
【請求項３】
接触したことを検知する接触面が設けられた操作入力部と、
前記操作入力部からの信号に基づいて、電子機器を制御する制御部と、を備え、
前記制御部により、選択候補が並んで表示され、
前記制御部は、第１の接触状態で、前記選択候補が並ぶ方向の一方の最端部へ移動した際、前記第１の接触状態と異なる第２の接触を検知した場合にのみ、前記一方の最端部に位置する選択候補から他方の最端部に位置する選択候補へ、前記選択候補を切り替えることを特徴とする入力装置。
【請求項４】
請求項１乃至請求項３のうち何れか一項に記載の入力装置において、
前記第１領域が、選択候補としての可変量を変化させる入力を受け付けるスライドバーであることを特徴とする入力装置。
【請求項５】
接触したことを検知する接触面が設けられた操作入力部と、
前記操作入力部からの信号に基づいて、電子機器を制御する制御部と、を備え、
前記制御部により、複数の選択項目が循環表示され、
前記制御部は、第１の接触状態でのスライド移動に伴って、そのスライド移動量が最後尾に位置する選択項目まで到達するのを検知した際、前記第１の接触状態と異なる第２の接触を検知した場合に、先頭に位置する選択項目に選択対象を切り替えることを特徴とする入力装置。
【請求項６】
接触したことを検知する接触面が設けられた操作入力部と、
前記操作入力部からの信号に基づいて、電子機器を制御する制御部と、を備え、
前記制御部により、複数の選択項目が循環表示され、
前記制御部は、第１の接触状態でのスライド移動に伴って、そのスライド移動量が先頭に位置する選択項目まで到達するのを検知した際、前記第１の接触状態と異なる第２の接触を検知した場合に、最後尾に位置する選択項目に選択対象を切り替えることを特徴とする入力装置。
【請求項７】
請求項１乃至請求項６のうち何れか一項に記載の入力装置において、
前記第２の接触は、前記第１の接触状態から一旦非接触となり、再度の接触であることを特徴とする入力装置。
【請求項８】
請求項１乃至請求項６のうち何れか一項に記載の入力装置において、
前記第２の接触は、前記第１の接触状態で前記接触面が検知する第１押圧力よりも、前記第２の接触状態で前記接触面が検知する第２押圧力が大きいことを特徴とする入力装置。
【請求項９】
請求項１乃至請求項６のうち何れか一項に記載の入力装置において、
前記第２の接触は、前記第１の接触状態で前記接触面が検知する当該接触面に対する第１接触面積よりも、前記第２の接触状態で前記接触面が検知する当該接触面に対する第２接触面積が大きいことを特徴とする入力装置。
【請求項１０】
請求項１乃至請求項６のうち何れか一項に記載の入力装置において、
前記第２の接触は、前記接触面が検知する接触箇所の数が、前記第１の接触において、前記接触面が検知する接触箇所の数よりも多いことを特徴とする入力装置。
【発明の詳細な説明】
【技術分野】
【０００１】
本発明は、入力装置に関するものである。
【背景技術】
【０００２】
従来、車両のステアリング部分に搭載され、操作者が表示部としてのナビゲーション装置のディスプレイやヘッドアップディスプレイに表示された画像を見ながら操作するためにタッチセンサを備えた入力装置が開示されている（例えば、特許文献１参照）。図９は、従来の入力オブジェクトを表示した図である。
【０００３】
特許文献１に開示された入力用オブジェクト１００は、図９に示すように、例えば音量調節を行うなど、可変量を変化させる入力を受け付ける際に用いるスライドバー２００を含んで構成される。このスライドバー２００は、例えば左端を最小値として、また右端を最大値として、操作者が可変量を変化させる操作入力を受け付ける。スライドバー２００上にあるノブ３００は、可変量の現在の値を示している。このように入力用オブジェクト１００は、操作者が入力デバイスを用いてノブ３００の位置を移動させることにより、所定の可変量を調整する入力を行うように制御されている。
【０００４】
例えば、室内の温度設定を操作する場合があるが、操作者がスライドバー２００上にあるノブ３００の位置を、スライドバー２００の端部に位置させようとした際に、誤って隣のアイコンをアクティブにしてしまうことがある。即ち、操作者が意図しない操作が入力されてしまう、という問題が一例として挙げられる。
【先行技術文献】
【特許文献】
【０００５】
【特許文献１】特開２０１１−０４８８３２
【発明の概要】
【発明が解決しようとする課題】
【０００６】
本発明は、このような問題点に対処することを課題の一例とするものである。即ち、本発明は、操作性の向上を図った入力装置を課題の一例とする。
【課題を解決するための手段】
【０００７】
上記課題を解決するために、第１の発明は、接触したことを検知する接触面が設けられた操作入力部と、前記操作入力部からの信号に基づいて、電子機器を制御する制御部と、を備え、前記制御部は、第１の接触状態で、第１領域から該第１領域に並置された第２領域へ移動した際、前記第２領域にて前記第１の接触状態と異なる第２の接触を検知した場合にのみ、前記第１領域から前記第２領域に選択対象を切り替えることを特徴とする入力装置である。
【０００８】
第２の発明は、接触したことを検知する接触面が設けられた操作入力部と、前記操作入力部からの信号に基づいて、電子機器を制御する制御部と、を備え、前記制御部により、選択候補が並んで表示され、前記制御部は、第１の接触状態で、前記選択候補が並ぶ方向の一方の最端部へ移動した際、前記第１の接触状態と異なる第２の接触を検知した場合にのみ、前記一方の最端部に位置する選択候補から他方の最端部に位置する選択候補へ、前記選択候補を切り替えることを特徴とする入力装置である。
【０００９】
第３の発明は、接触したことを検知する接触面が設けられた操作入力部と、前記操作入力部からの信号に基づいて、電子機器を制御する制御部と、を備え、前記制御部により、複数の選択項目が循環表示され、前記制御部は、第１の接触状態でのスライド移動に伴って、そのスライド移動量が最後尾に位置する選択項目まで到達するのを検知した際、前記第１の接触状態と異なる第２の接触を検知した場合に、先頭に位置する選択項目に選択対象を切り替える入力装置である。
【００１０】
第４の発明は、接触したことを検知する接触面が設けられた操作入力部と、前記操作入力部からの信号に基づいて、電子機器を制御する制御部と、を備え、前記制御部により、複数の選択項目が循環表示され、前記制御部は、第１の接触状態でのスライド移動に伴って、そのスライド移動量が先頭に位置する選択項目まで到達するのを検知した際、前記第１の接触状態と異なる第２の接触を検知した場合に、最後尾に位置する選択項目に選択対象を切り替える入力装置である。
【図面の簡単な説明】
【００１１】
【図１】本発明の入力装置が搭載された自動車の室内を模式的に示す斜視図である。
【図２】図１に示された入力装置を含むナビゲーションシステムの機能ブロック図である。
【図３】図２に示された制御部の動作の第１実施例を示すフローチャートである。
【図４】電子機器により表示される表示の一例を示す図である。
【図５】電子機器により表示される表示の一例を示す図である。
【図６】図２に示された制御部の動作の第２実施例を示すフローチャートである。
【図７】電子機器により表示される表示の一例を示す図である。
【図８】図２に示された制御部の動作の第３実施例を示すフローチャートである。
【図９】従来の入力オブジェクトを表示した図である。
【００１２】
以下、本発明の一実施の形態にかかる入力装置を説明する。本発明の一実施の形態にかかる入力装置において、接触したことを検知する接触面が設けられた操作入力部と、前記操作入力部からの信号に基づいて、電子機器を制御する制御部と、を備え、前記制御部は、第１の接触状態で、第１領域から該第１領域に並置された第２領域へ移動した際、前記第２領域にて前記第１の接触状態と異なる第２の接触を検知した場合にのみ、前記第１領域から前記第２領域に選択対象を切り替える。
【００１３】
これにより、操作者は、指等の接触体を接触面に接触させた状態で、第１領域から第２領域まで指を移動した際に、操作者が意図せずに、第２領域に選択対象が切り替わることを抑制できる。このように操作者が意図しない操作が入力されてしまうことを抑制することで、操作性の向上を図ることができる。
【００１４】
また、第１領域が、第１方向に選択候補が並んで表示され、第２領域が、第１領域の第１方向に並置されていてもよい。このように、第１領域が、第１方向に並んで表示された選択候補を有し、第２領域が、第１領域の第１方向に並置する位置にある場合には、操作者が意図しない操作が入力され易いため、本実施形態は有効である。
【００１５】
また、本発明の一実施の形態にかかる入力装置において、接触したことを検知する接触面が設けられた操作入力部と、前記操作入力部からの信号に基づいて、電子機器を制御する制御部と、を備え、前記制御部により、選択候補が並んで表示され、前記制御部は、第１の接触状態で、前記選択候補が並ぶ方向の一方の最端部へ移動した際、前記第１の接触状態と異なる第２の接触を検知した場合にのみ、前記一方の最端部に位置する選択候補から他方の最端部に位置する選択候補へ、前記選択候補を切り替える。
【００１６】
これにより、操作者は、指等の接触体を接触面に接触させた状態で、指を移動した際に、操作者が意図せずに、選択候補が切り替わることを抑制できる。このように操作者が意図しない操作が入力されてしまうことを抑制することで、操作性の向上を図ることができる。
【００１７】
また、第１領域が、選択候補としての可変量を変化させる入力を受け付けるスライドバーであってもよい。これによれば、スライドドバーのノブの位置を変更する際には、操作者が意図しない操作が入力され易いため、本実施形態は有効である。
【００１８】
一方、本発明の他の実施形態に係る入力装置は、接触したことを検知する接触面が設けられた操作入力部と、前記操作入力部からの信号に基づいて、電子機器を制御する制御部と、を備え、前記制御部により、複数の選択項目が循環表示され、前記制御部は、第１の接触状態でのスライド移動に伴って、そのスライド移動量が最後尾に位置する選択項目まで到達するのを検知した際、前記第１の接触状態と異なる第２の接触を検知した場合に、先頭に位置する選択項目に選択対象を切り替える。
【００１９】
これにより、操作者は、指等の接触体を接触面に接触させた第１の接触状態で、所定の方向へスライド移動した際、そのスライド移動量が最後尾に位置する選択項目まで到達するのを検知した場合に、操作者が意図せずに、最後尾に位置する選択項目から先頭に位置する選択項目に選択対象が切り替わることを抑制できる。
【００２０】
他方、本発明の他の実施形態に係る入力装置は、接触したことを検知する接触面が設けられた操作入力部と、前記操作入力部からの信号に基づいて、電子機器を制御する制御部と、を備え、前記制御部により、複数の選択項目が循環表示され、前記制御部は、第１の接触状態でのスライド移動に伴って、そのスライド移動量が先頭に位置する選択項目まで到達するのを検知した際、前記第１の接触状態と異なる第２の接触を検知した場合に、最後尾に位置する選択項目に選択対象を切り替える。
【００２１】
これにより、操作者は、指等の接触体を接触面に接触させた第１の接触状態で、所定の方向へスライド移動した際、そのスライド移動量が先頭に位置する選択項目まで到達するのを検知した場合に、操作者が意図せずに、先頭に位置する選択項目から最後尾に位置する選択項目に選択対象が切り替わることを抑制できる。
【００２２】
また、第２の接触は、第１の接触状態から一旦非接触となり、再度の接触であってもよい。これによれば、操作者が意図しない操作が入力されてしまうことを抑制することができる。
【００２３】
また、第２の接触は、第１の接触状態で接触面が検知する第１押圧力よりも、第２の接触状態で接触面が検知する第２押圧力が大きいことであってもよい。これによれば、操作者が意図しない操作が入力されてしまうことを抑制することができる。
【００２４】
また、第２の接触は、第１の接触状態で接触面が検知する当該接触面に対する第１接触面積よりも、第２の接触状態で接触面が検知する当該接触面に対する第２接触面積が大きいことであってもよい。これによれば、操作者が意図しない操作が入力されてしまうことを抑制することができる。
【００２５】
また、第２の接触は、接触面が検知する接触箇所の数が、第１の接触において、接触面が検知する接触箇所の数よりも多いことであってもよい。これによれば、操作者が意図しない操作が入力されてしまうことを抑制することができる。
【実施例】
【００２６】
（第１実施例）
次に、本実施形態における入力装置を組み込んだナビゲーションシステムについて図１〜図５を参照して説明する。図１は、本発明の入力装置が搭載された自動車の室内を模式的に示す斜視図である。図２は、図１に示された入力装置を含むナビゲーションシステムの機能ブロック図である。
【００２７】
図１、図２に示すように、本実施例のナビゲーションシステム１００は、自動車のダッシュボード１０１の下方に埋設されたナビゲーション装置１０と、運転席の正面付近に設けられたヘッドアップディスプレイ装置２０（以下、「ＨＵＤ装置２０（電子機器）」と記す）と、ダッシュボード１０１上部に取り付けられた液晶パネル３０と、ハンドル１０２に設けられたタッチパッド１（操作入力部）と、をそれぞれ別体に備えて構成されている。また、タッチパッドはアクチュエータなどの振動を生じさせる機構を設けて、接触面の振動によるフィードバックを操作者に与えてもよい。操作者の指などの接触体で接触面に接触する位置情報に基づいて、操作者に振動によるフィードバックを与えることで操作感を向上させることができる。また、触感により所望のスイッチを選択することができる。なお、ＨＵＤ装置２０や液晶パネル３０は、運転座席の後方側（後部座席側）に取り付けられていても構わない。また、本実施例において、ＨＵＤ装置２０を電子機器の一例として説明するが、電子機器は液晶パネル３０であっても構わない。
【００２８】
液晶パネル３０は、ナビゲーション装置１０と接続されており、ナビゲーション装置１０から受信した表示制御信号に応じて、地図情報、地図関連情報、案内地点までのルート（案内経路）等の案内情報等を表示する。
【００２９】
ＨＵＤ装置２０は、例えば、ダッシュボード１０１上部（天井）にフロントガラス１０３に向けて埋設された光を照射する光源部２０ａと、フロントガラス１０３における運転者の正面上方箇所に貼り付けて設けられ、光源部２０ａから照射された光を運転者に向けて反射するコンバイナ部２０ｂと、を備えている。これにより、運転者の正面に光源部２０ｂから照射された光を虚像Ｖ（画像）として視認させる。また、コンバイナ２０ｂは運転者正面のダッシュボード１０１上に設けられていてもよい。また、光源部２０ａは、運転者正面のダッシュボード１０１内に設けられていてもよい。ＨＵＤ装置２０は、ナビゲーション装置１０と接続されている。ＨＵＤ装置２０は、ナビゲーション装置１０から受信した表示制御信号に応じて、光源部２０ａからコンバイナ部２０ｂに向けて光を照射することで、自動車の移動速度等の状態情報や、次に曲がる交差点等までの距離及び方向などのナビゲーション情報を、車外の景色に重畳させて表示（以下、「表示部」と記す）する。
【００３０】
タッチパッド１は、該タッチパッド１に加えられた圧力（例：押圧力）を計測し抵抗値などの電気信号に変換して出力する圧力センサを用いてシート状に構成されており、運転者がハンドル１０２から手を離さずに操作（押圧）できるように自動車のハンドル１０２に設けられている。タッチパッド１は、ナビゲーション装置１０と接続されている。なお、タッチパッド１の操作入力に際しては、利用者の指やスタイラスペンなどの接触体が接触される。具体的には、操作入力部は、例えば運転者が指でタッチパッド１をタップしたり、指を滑らせたりした際の押圧力を検知するように構成されている。操作入力部は、検知した押圧力及びタッチパッド１上での指の動きに関する情報を含む信号を制御部１０ａに送信する。
【００３１】
また、操作入力部は、本実施例では、表示部と異なる位置に設けられている。例えば、操作入力部は、自動車の進行方向において、運転者の右側にあるドア（側面、窓の開閉をするための操作パネル）、左側にあるコンソールボックス、カップホルダ、インパネ、ダッシュボード１０１などの周辺位置や、助手席又は後部座席の周辺位置に設けられていてもよい。また、操作入力部は、表示部と同じ位置に設けられていてもよい。この場合には、操作入力部は、液晶パネル３０の表示面上が、タッチパッド１として機能するように構成されていてもよい。
【００３２】
図２に示すように、ナビゲーション装置１０は、制御部１０ａと、通信部１０ｂと、ナビゲーション部１０ｃと、記録装置１０ｄと、オーディオ・ビデオ再生部（Ａ・Ｖ再生部）１０ｅと、表示出力Ｉ／Ｆ１０ｆと、操作入力Ｉ／Ｆ１０ｇと、データＩ／Ｆ１０ｈとを備えている。
【００３３】
制御部１０ａは、例えばＲＡＭ（Random Access Memory）やＲＯＭ（Read Only Memory）などのメモリを備えたＣＰＵ(Central Processing Unit)で構成されている。制御部１０ａは、ナビゲーション装置１０の全体制御を司るとともに、ヘッドアップディスプレイ装置２０や液晶パネル３０への各種情報の表示の制御を行う。また、ナビゲーション部１０ｃを制御して、目的地までのルート（案内経路）の検索などのナビゲーションの動作を行う。
【００３４】
通信部１０ｂは、制御部１０ａから制御により、例えば、移動体通信に用いられる公衆無線通信回線などを介して遠隔地にあるサーバとの間で通信を行い、自身（ナビゲーション装置１０が搭載されている自動車）の現在位置を示す情報をサーバに送信するとともに、例えば、渋滞等の現在位置付近の道路状況等の情報などを受信する。
【００３５】
ナビゲーション部１０ｃは、複数のＧＰＳ（Ｇｌｏｂａｌ  Ｐｏｓｉｔｉｏｎｉｎｇ  Ｓｙｓｔｅｍ）衛星から発信される電波を受信して、現在の位置情報を求めて制御部１０ａに出力する。
【００３６】
記録装置１０ｄは、例えばハードディスクや不揮発性メモリなどで構成され、制御部１０ａがナビゲーション装置１０を制御するためのプログラムやデータ、ヘッドアップディスプレイ装置２０や液晶パネル３０に表示される地図情報及び地図関連情報、及び、目的地へのルートを検索するために用いられる検索用データ等が格納されている。また、記録装置１０ｄには、オーディオ・ビデオ再生部１０ｅで再生されるオーディオデータやビデオデータなどの、コンテンツデータが格納される。このコンテンツデータは、データＩ／Ｆ１８を介して例えばＵＳＢメモリ、携帯型端末装置等から入力したデータ、あるいは通信部１０ｂを介して、サーバ等から配信を受けたデータなどである。
【００３７】
オーディオ・ビデオ再生部１０ｅは、制御部１０ａの制御により、後述のようにタッチパッド１の操作とヘッドアップディスプレイ装置２０の表示によるＧＵＩ（グラフィカルユーザインタフェース）で選択されたコンテンツの再生を行う。
【００３８】
表示出力Ｉ／Ｆ１０ｆは、制御部１０ａからの表示制御信号をヘッドアップディスプレイ装置２０や液晶パネル３０に送信する。なお、本実施例において、表示出力Ｉ／Ｆ１０ｆとヘッドアップディスプレイ装置２０及び液晶パネル３０はワイヤハーネス等の有線を用いて通信可能に接続されているものを想定しているが、これに代えて、例えば、無線ＬＡＮ等の無線通信規格を用いて通信可能に接続されていてもよい。
【００３９】
操作入力Ｉ／Ｆ１０ｇは、アナログ−デジタル変換機能を備えており、例えば、ワイヤハーネスなどによりタッチパッド１に接続されている。操作入力Ｉ／Ｆ１０ｇは、タッチパッド１からの電気信号（即ち押圧力の情報）を受信すると、該電子信号を量子化して制御部１０ａに伝える。なお、本実施例において、操作入力Ｉ／Ｆ１０ｇとタッチパッド１はワイヤハーネス等の有線で接続されているものを想定しているが、これに代えて、例えば、操作入力Ｉ／Ｆ１０ｇとタッチパッド１とに通信機能を実装して、これらが有線又は無線を用いて通信可能に接続されていてもよい。
【００４０】
次に、上述した構成のナビゲーション装置１０の制御部１０ａの動作の一例を、図３及び図４を参照して説明する。図３は、制御部１０ａの動作の第１実施例を示すフローチャートである。図４、図５は、電子機器により表示される表示の一例を示す図である。以下の動作は、車室内の空気調節を制御するとともに、設定温度を最小値に設定する際の動作である。
【００４１】
図３のフローチャートを示す動作を開始するにあたり、表示部には、空気調節を制御するための３つの領域が横方向（第１方向）に並んで表示されている。３つの領域として、第１領域１１には温度ゲージが設けられ、第２領域１２には、予め設定された快適な温度に車室内の温度を近付ける「ＡＵＴＯ」アイコンが設けられ、第３領域１３には、車室内の空気調節を停止する「ＯＦＦ」アイコンが表示されている。
【００４２】
３つの領域は、第１領域１１、第２領域１２、第３領域１３の順で、横方向に隣接する位置に並んで表示されている。これら第１領域１１、第２領域１２、第３領域１３は、所望の領域内にタッチ（接触）した際に、当該領域が、アクティブ（選択対象）になるように構成されている。ここで、「アクティブになる」とは、第１領域１１をアクティブにした場合には、後述するようにスライドバー１５上のノブ１４を移動させることで車室内の設定温度（設定候補）を、所望の値に設定可能な状態にすることであり、第２領域１２をアクティブにした場合には、空気調節が「ＡＵＴＯ」設定となり、第３領域１３をアクティブにした場合には、空気調節が「ＯＦＦ」設定となることである。
【００４３】
第１領域１１にある温度ゲージは、例えば温度調節を行う等、選択候補としての可変量を変化させる入力を受け付ける際に用いるスライドバー１５を含んで構成される入力用オブジェクトである。このスライドバー１５は、選択候補としての可変量を、例えば、左端を最小値として、右端を最大値として、操作者が当該可変量を変化させる操作入力を受け付ける。スライドバー１５上にあるノブ１４は、現在の値を示している。第１領域１１は、温度ゲージを表示の一例として説明していたが、可変量を変化させる入力を受け付ける際に用いるスライドバー１５を含んで構成される入力用オブジェクトであれば、音量調節を示す表示であってもよい。
【００４４】
操作入力部は、図４に示すように、タッチパッド１からの位置情報に基づく入力の位置が、スライドバー１５のノブ１４上で移動した際に、ノブ１４の位置を移動させるように構成されている。なお、「ノブ１４」とは、スライドバー１５を構成する複数のパーツの一部であり、このノブ１４は、表示位置や全体における割合などを示すものとして機能するとともに、ノブ１４を摘んで（ホールド状態で）移動させる（即ち、ドラッグする）ことで、表示位置や全体における割合等を可変にすることができる。また、スライドバー１５は、図４に示すように、２０度から３０度まで一度ずつ、選択候補としての可変量を変化させる入力を受け付けるものであるが、図５に示すスライドバーのように、ノブ１４を適宜な位置に移動させることで、入力を受け付けるものであってもよい。
【００４５】
制御部１０ａは、図４に示すように、表示部に、第１領域１１、第２領域１２、及び第３領域１３を表示した状態である。ここで、図３に示すように、制御部１０ａは、操作入力部からの入力に基づいて、第１領域１１をアクティブ（選択対象）にする（ステップＳ１１）。次に、制御部１０ａは、操作者が指でノブ１４に接触し、この接触状態（第１の接触状態）のまま、ノブ１４がスライドバー１５上を移動したことを検知する（ステップＳ１２）。次に、ノブ１４が、スライドバー１５の最小値（最端部）まで移動したか否かを判定する（ステップＳ１３）。そして、ノブ１４が、スライドバー１５の最小値に位置したことを検知した場合には（ステップＳ１３でＹ）、ステップＳ１４に進む。ステップＳ１３において、ノブ１４が、スライドバー１５の最小値に位置したことを検知しない場合には（ステップＳ１３でＮ）、ステップＳ１２に戻る。
【００４６】
次に、制御部１０ａは、第２領域１２において第２の接触を検知したか否かを判定する（ステップＳ１４）。ここでいう、第２の接触とは、第１の接触状態から、一旦非接触となり、タッチパッド１の第２領域１２に接触することである。そして、第２の接触を検知した場合には（ステップＳ１４でＹ）、第２領域１２をアクティブにする（ステップ１５）。即ち、制御部１０ａは、第１領域１１から第２領域１２に選択対象を切り替える。そして、第２の接触を検知しない場合には（ステップＳ１４でＮ）、ノブ１４をスライドバー１５の最小値（最端部）に位置させる（ステップＳ１６）。
【００４７】
なお、上述した実施例では、タッチパッド１はアクチュエータなどの振動を生じさせる機構を設けて、接触面の振動によるフィードバックを操作者に与えてもよい。操作者の指などの接触体で接触面に接触する位置情報に基づいて、操作者に振動によるフィードバックを与えることで操作感を向上させることができる。また、ノブ１４が、スライドバー１５の最小値（最端部）まで移動したか否かを判定する（ステップＳ１３）時に接触面に振動を生じさせてもよい。第２領域１２において第２の接触を検知したか否かを判定する（ステップＳ１４）段階であることを触覚的に操作者にフィードバックすることができる。表示部とタッチパッド１が異なる位置に設けられている場合に特に有効である。
【００４８】
なお、上述した実施例では、車室内の空気調節を制御するとともに、選択候補としての設定温度を最小値に設定する際の動作について説明したが、設定温度を最大値に設定する際の動作についても、第２領域１２が第１領域１１の右側（最大値側）に隣接する位置にある場合には、本実施例と同様の作用が奏される。
【００４９】
また、上述した実施例では、第１領域１１と第２領域１２とが、横方向（第１方向）に隣接する位置に並んで表示された場合を表示の一例として説明した。換言すると、第１領域１１と第２領域１２とが接する位置に並んで表示された場合を表示の一例として説明していたが、本発明はこれに限定されるものではない。第１領域１１と第２領域１２とが接しない位置に並んで表示されていてもよい。即ち、第１領域１１と第２領域１２とが、近い位置にあれば、第１領域１１と第２領域１２とが、接する位置にあろうとも、接しない位置にあろうとも本発明の範囲に含むものとする。
【００５０】
また、上述した実施例では、第１方向として横方向を一例として説明したが、本発明はこれに限定されず、第１方向は上下方向であっても構わない。
【００５１】
また、上述した実施例では、第３領域１３として「ＯＦＦ」アイコンを表示したが、「ＯＦＦ」アイコンは、省略しても構わない。また、上述した実施例では、第３領域１３、第２領域１２、第１領域１１の順で表示されていたが、温度ゲージである第１領域１１を真ん中に設け、第１領域１１の左右の両側に任意のアイコン（第２領域１２）を設けても構わない。
【００５２】
上述した実施例によれば、操作者は、指等の接触体をタッチパッド１（接触面）に接触させた状態で、第１領域１１から第２領域１２まで指を移動した際に、操作者が意図せずに、第２領域１２に選択対象が切り替わることを抑制できる。このように操作者が意図しない操作が入力されてしまうことを抑制することで、操作性の向上を図ることができる。
【００５３】
また、第１領域１１は、横方向（第１方向）に選択候補が並んで表示され、第２領域１２が、第１領域１１の第１方向に並置されている。このように、第１領域１１が、第１方向に並んで表示された選択候補を有し、第２領域１２が、第１領域１１の第１方向に並置する位置にある場合には、操作者が意図しない操作が入力され易いため、本実施形態は有効である。
【００５４】
また、第１領域１１が、選択候補としての可変量を変化させる入力を受け付けるスライドバー１５から構成されている。これによれば、スライドドバー１５のノブ１４の位置を変更する際に、操作者が意図しない操作が入力され易いため、本実施形態は有効である。
【００５５】
（第２実施例）
次に、上述した構成のナビゲーション装置１０の制御部１０ａの動作の他の一例を、図６及び図７を参照して説明する。図６は、制御部の動作の第２実施例を示すフローチャートである。図７は、電子機器により表示される表示の一例を示す図である。以下の動作は、記録装置１０ｄに記載された複数の楽曲Ａ〜Ｚ（複数の選択項目）から、所望の楽曲を選択する際の動作である。
【００５６】
以下では、複数の楽曲Ａ〜Ｚの中から、所望の楽曲Ｚを選択する際の動作を一例に説明するが、ここでいう複数の項目とは、テレビの番組や、ラジオの番組であり、これらを選択するものであってもよい。また、複数の項目は、カーナビゲーションの目的地であり、複数の目的地を選択するものあってもよい。また、複数の項目は、車両の各種制御対象に対応するものであり、複数の制御対象から所望の制御対象を選択するものであってもよい。
【００５７】
表示部には、図７に示すように、複数の楽曲Ａ〜Ｚが上下方向（第２方向）並び、複数（図示例では５）の楽曲が循環表示されるようにリスト表示されている。そして、操作者の指がタッチパッド１に接触した状態で上方又は下方へのスライドした際に、このスライド移動量に応じて、任意の５つの楽曲が表示されるように制御部１０ａにより制御されている。即ち、指のスライド移動に伴って、表示される任意の５つの楽曲は、楽曲Ａ〜楽曲Ｅ（図７（Ａ）に示す）、楽曲Ｂ〜楽曲Ｆ、楽曲Ｃ〜楽曲Ｇ、・・・、楽曲Ｖ〜楽曲Ｚ（図７（Ｂ）に示す）、楽曲Ｗ〜楽曲Ａ（図７（Ｃ）（Ｄ）に示す）に変化する。なお、図７（Ａ）〜（Ｃ）に示すように、楽曲Ａ〜Ｚとは、各領域に表示された文字であり、以下では、リストの一段目の領域を第１領域２１、二段目の領域を第２領域２２、三段目の領域を第３領域２３、四段目の領域を第４領域２４、五段目の領域を第５領域２５、と記す場合がある。なお、第３領域をアクティブ（選択対象）に固定し、操作者の指がタッチパッド１に接触した状態で上方又は下方へのスライドした際に、このスライド移動量に応じて楽曲が上下方向にスライドしてもよい。
【００５８】
図６のフローチャートを示す動作を開始するにあたり、図７（Ｃ）に示すように、制御部１０ａは、第１領域２１に楽曲Ｗを表示し、第２領域２２に楽曲Ｘを表示し、第３領域２３に楽曲Ｙを表示し、第４領域２４に楽曲Ｚを表示し、第５領域２５に楽曲Ａを表示した状態である。ここで、図６に示すように、制御部１０ａは、指がタッチパッド１に接触した状態（第１の接触状態）で下方にスライド移動したことを検知する（ステップＳ２１）。この後、制御部１０ａは、この状態（第１の接触状態）のまま、スライド移動量に応じて楽曲Ｚ（第４領域２４）がアクティブ（選択対象）であるか否かを判定する（ステップＳ２２）。楽曲Ｚがアクティブである場合には（ステップＳ２２でＹ）、ステップＳ２３に進む。ステップＳ２２において、楽曲Ｚがアクティブであることを検知しない場合には（ステップＳ２２でＮ）ステップＳ２１に戻る。
【００５９】
次に、制御部１０ａは、楽曲Ａ（第５領域２５）において第２の接触を検知したか否かを判定する（ステップＳ２３）。ここでいう、第２の接触とは、第１の接触状態から、一旦非接触となり、タッチパッド１の第５領域２５に接触することである。そして、第２の接触を検知した場合には（ステップＳ２３でＹ）、制御部１０ａは、図７（Ｄ）に示すように、楽曲Ａをアクティブ（選択対象）にする（ステップＳ２４）。即ち、選択対象を楽曲Ａ（先頭に位置する選択項目）に切り替える。そして、第２の接触を検知しない場合には（ステップＳ２３でＮ）、制御部１０ａは、図７（Ｃ）に示すように、楽曲Ｚをアクティブ（選択対象）にする（ステップＳ２５）。
【００６０】
上述した実施例では、タッチパッド１はアクチュエータなどの振動を生じさせる機構を設けて、接触面の振動によるフィードバックを操作者に与えてもよい。操作者の指などの接触体で接触面に接触する位置情報に基づいて、操作者に振動によるフィードバックを与えることで操作感を向上させることができる。また、楽曲Ｚ（第４領域２４）がアクティブ（選択対象）であるか否かを判定（ステップＳ２２）した後に接触面に振動を生じさせてもよい。楽曲Ａ（第５領域２５）において第２の接触を検知したか否かを判定する（ステップＳ２３）段階であることを触覚的に操作者にフィードバックすることができる。表示部とタッチパッド１が異なる位置に設けられている場合に特に有効である。
【００６１】
なお、上述した実施例では、指がタッチパッド１（接触面）に接触した状態（第１の接触状態）で下方へのスライド移動に伴って、そのスライド移動量が、楽曲Ｚ（最後尾に位置する選択項目）まで到達するのを検知した際、第１の接触状態と異なる第２の接触を検知した場合に、楽曲Ａ（隣接する先頭に位置する選択項目）に選択対象を切り替える制御の一例について説明したが、本発明はこれに限定されるものではない。指がタッチパッド１（接触面）に接触した状態（第１の接触状態）で上方へのスライド移動に伴って、そのスライド移動量が、楽曲Ａ（先頭に位置する選択項目）まで到達するのを検知した際、第１の接触状態と異なる第２の接触を検知した場合に、楽曲Ｚ（隣接する最後尾に位置する選択項目）に選択対象を切り替えるように制御されていてもよい。
【００６２】
また、上述した実施例では、複数の楽曲Ａ〜Ｚ（複数の選択項目）から、所望の楽曲を選択する際の動作について説明したが、本発明はこれに限定されるものではない。例えば、複数の選択項目が、車室内の空気調節をする際の設定温度であり、温度ゲージが循環表示されるようにリスト表示されていれていてもよい。この場合には、指がタッチパッド１（接触面）に接触した状態（第１の接触状態）で上方へのスライド移動に伴って、そのスライド移動量が、設定温度の最小値（先頭に位置する選択項目）まで到達するのを検知した際、第１の接触状態と異なる第２の接触を検知した場合に、設定温度の最大値（隣接する最後尾に位置する選択項目）に選択対象を切り替えるように制御されていてもよく、指がタッチパッド１（接触面）に接触した状態（第１の接触状態）で下方へのスライド移動に伴って、そのスライド移動量が、設定温度の最大値（最後尾に位置する選択項目）まで到達するのを検知した際、第１の接触状態と異なる第２の接触を検知した場合に、設定温度の最小値（隣接する先頭に位置する選択項目）に選択対象を切り替えるように制御されていてもよい。
【００６３】
また、上述した実施例では、スライド方向が上下方向である場合を一例として説明したが、本発明はこれに限定されず、スライド方向は横方向（車幅方向）であっても構わない。
【００６４】
上述した実施例によれば、操作者は、指等の接触体を接触面に接触させた第１の接触状態で、所定の方向へスライド移動した際、そのスライド移動量が最後尾（先頭）に位置する選択項目まで到達するのを検知した場合に、操作者が意図せずに、最後尾（先頭）に位置する選択項目から先頭（最後尾）に位置する選択項目に選択対象が切り替わることを抑制できる。
【００６５】
（第３実施例）
次に、上述した構成のナビゲーション装置１０の制御部１０ａの動作のさらに他の一例を説明する。以下の動作は、車室内の空気調節を制御するとともに、車室内を所望の設定温度に設定する際の動作である。
【００６６】
図８のフローチャートを示す動作を開始するにあたり、表示部には、空気調節を制御するための温度ゲージが表示されている。この温度ゲージは、図４に示す例えば温度調節を行う等、選択候補としての可変量を変化させる入力を受け付ける際に用いるスライドバー１５を含んで構成される入力用オブジェクトである。
【００６７】
制御部１０ａは、操作入力部からの入力に基づいて、温度ゲージをアクティブにする（ステップＳ３１）。次に、制御部１０ａは、操作者が指でノブ１４に接触し、この接触状態（第１の接触状態）のまま、ノブ１４がスライドバー１５上を移動したことを検知する（ステップＳ３２）。次に、ノブ１４が、スライドバー１５の最小値（一方の最端部）まで移動したか否かを判定する（ステップＳ３３）。そして、ノブ１４が、スライドバー１５の最小値に位置したことを検知した場合には（ステップＳ３３でＹ）、ステップＳ３４に進む。ステップＳ３３において、ノブ１４が、スライドバー１５の最小値に位置したことを検知しない場合には（ステップＳ３３でＮ）、ステップＳ３２に戻る。
【００６８】
次に、制御部１０ａは、第２の接触を検知したか否かを判定する（ステップＳ３４）。ここでいう、第２の接触とは、第１の接触状態から、一旦非接触となり、タッチパッド１の第２領域１２に接触することである。そして、第２の接触を検知した場合には（ステップＳ３４でＹ）、ノブ１４をスライドバー１５の最大値（他方の最端部）に位置させる（ステップ３５）。即ち、制御部１０ａは、一方の最端部に位置する選択候補から他方の最端部に位置する選択候補へ、選択候補を切り替える。そして、第２の接触を検知しない場合には（ステップＳ３４でＮ）、ノブ１４をスライドバー１５の最大値（他方の最端部）に位置させる（ステップＳ３６）。
【００６９】
また、スライドバー１５は、初期状態では、図４に示すように、２０度（一方の最端部に位置する選択候補）から３０度（他方の最端部に位置する選択候補）まで一度ずつ、選択候補としての可変量を変化させる入力を受け付ける。そして、第２の接触を検知した場合には、（ステップＳ３４でＹ）、制御部１０ａは、一方の最端部に位置する選択候補を２０度から３０度に設定温度を切り替えるとともに、他方の最端部に位置する選択候補を３０度から２０度に設定温度を切り替える。
【００７０】
なお、上述した実施例では、タッチパッド１はアクチュエータなどの振動を生じさせる機構を設けて、接触面の振動によるフィードバックを操作者に与えてもよい。操作者の指などの接触体で接触面に接触する位置情報に基づいて、操作者に振動によるフィードバックを与えることで操作感を向上させることができる。また、ノブ１４が、スライドバー１５の最小値（一方の最端部）まで移動したか否かを判定する（ステップＳ３３）時に接触面に振動を生じさせてもよい。ここで、第２の接触を検知したか否かを判定する（ステップＳ３４）段階であることを触覚的に操作者にフィードバックすることができる。表示部とタッチパッド１が異なる位置に設けられている場合に特に有効である。
【００７１】
以上、３つの実施例を挙げて本願発明について説明したが、本発明はこれに限定されるものではない。上述した３つの実施例では、第２の接触が、第１の接触状態から、一旦非接触となり、再度接触したことを動作の一例として説明したが、第２の接触としては、第１の接触状態でタッチパッド１（接触面）が検知する第１押圧力よりも、第２の接触状態でタッチパッド１（接触面）が検知する第２押圧力が大きいことを検知することであってもよい。これによれば、上述した実施例と同様の効果が奏される。また、第２の接触としては、第１の接触状態でタッチパッド１（接触面）が検知する当該接触面に対する第１接触面積よりも、第２の接触状態でタッチパッド１（接触面）が検知する当該接触面に対する第２接触面積が大きいことを検知することであってもよい。これによれば、上述した実施例と同様の効果が奏される。さらに、第２の接触としては、タッチパッド１（接触面）が検知する接触箇所の数が、第１の接触において、タッチパッド１（接触面）が検知する接触箇所の数よりも多いことを検知することであってもよい。これによれば、上述した実施例と同様の効果が奏される。
【００７２】
なお、当業者は、従来公知の知見に従い、本発明の骨子を逸脱しない範囲で種々改変して実施することができる。かかる改変によってもなお本発明の入力装置の構成を具備する限り、勿論、本発明の範疇に含まれるものである。
【符号の説明】
【００７３】
１      タッチパッド（接触面、操作入力部）
１０ａ  制御部
１１    第１領域
１２    第２領域
２０    ＨＵＤ装置（電子機器）
１５    スライドバー
Ａ〜Ｚ  複数の楽曲（複数の選択項目）
Ａ      楽曲Ａ（先頭に位置する選択項目）
Ｚ      楽曲Ｚ（最後尾に位置する選択項目）
【図１】
2017224195.tif 000003
【図２】
2017224195.tif 000004
【図３】
2017224195.tif 000005
【図４】
2017224195.tif 000006
【図５】
2017224195.tif 000007
【図６】
2017224195.tif 000008
【図７】
2017224195.tif 000009
【図８】
2017224195.tif 000010
【図９】
2017224195.tif 000011